【手続補正書】
【提出日】平成20年5月15日(2008.5.15)
【手続補正１】
【補正対象書類名】特許請求の範囲
【補正対象項目名】全文
【補正方法】変更
【補正の内容】
【特許請求の範囲】
【請求項１】
電力変換器の入力電圧が、正入力供給レールと負入力供給レールの間に印加される正入力供給レールと負入力供給レールと、
フライバック入力巻線を有するフライバック・エネルギー伝達エレメントと、
フォワード入力巻線を有するフォワード・エネルギー伝達エレメントであって、前記フライバック入力巻線とフォワード入力巻線が、前記正入力供給レールと負入力供給レールの間に結合されるフォワード・エネルギー伝達エレメントと、
前記フォワード・エネルギー伝達エレメントに結合されて、前記電力変換器の入力電圧が第１のしきい値よりも低くなるときに、前記フォワード入力巻線の両端間の電圧をほぼゼロにまで低下させる電圧制御回路と、
から構成されることを特徴とする電力変換器。
【請求項２】
前記電圧制御回路は、前記電力変換器の入力電圧が、第２のしきい値よりも高くなるまで前記フォワード入力巻線の両端間の前記電圧をほぼゼロに保持するようになっていることを特徴とする請求項１に記載の電力変換器。
【請求項３】
前記第２のしきい値は、前記第１のしきい値よりも高いことを特徴とする請求項２に記載の電力変換器。
【請求項４】
第１及び第２のしきい値はほぼ等しいことを特徴とする請求項２に記載の電力変換器。
【請求項５】
前記電圧制御回路は前記フォワード入力巻線の両端間に結合されたスイッチを有することを特徴とする請求項１に記載の電力変換器。
【請求項６】
前記電圧制御回路は前記フォワード・エネルギー伝達エレメントの出力巻線の両端間に結合されたスイッチを有することを特徴とする請求項１に記載の電力変換器。
【請求項７】
前記電圧制御回路は、前記フォワード・エネルギー伝達エレメントを飽和させるようになっていることを特徴とする請求項１に記載の電力変換器。
【請求項８】
前記電圧制御回路は、前記フォワード・エネルギー伝達エレメントに飽和を開始させるようになっていることを特徴とする請求項１に記載の電力変換器。
【請求項９】
前記フォワード入力巻線またはフライバック入力巻線のうちの少なくとも一方に結合されるパワー・スイッチをさらに有することを特徴とする請求項１に記載の電力変換器。
【請求項１０】
前記パワー・スイッチは、さらに前記正入力レール又は負入力レールのうちの一方に結合されることを特徴とする請求項９に記載の電力変換器。
【請求項１１】
前記パワー・スイッチに結合された制御回路をさらに備え、前記制御回路及びパワー・スイッチが集積回路に含まれることを特徴とする請求項９に記載の電力変換器。
【請求項１２】
前記制御回路及びパワー・スイッチは、前記集積回路の一部分としてモノリシックに一体化されることを特徴とする請求項１１に記載の電力変換器。
【請求項１３】
電力変換器の入力電圧が印加される正入力供給レールと負入力供給レールと、
フライバック入力巻線を有するフライバック・エネルギー伝達エレメントと、
フォワード入力巻線を有するフォワード・エネルギー伝達エレメントと、
前記フライバック入力巻線とフォワード入力巻線とともに、前記正入力供給レールと負入力供給レールの間に結合され、オンであるときに、両端間の電圧がほぼゼロになるパワー・スイッチと、
前記フォワード・エネルギー伝達エレメントに結合され、前記電力変換器の入力電圧が第１のしきい値よりも低くなると、前記パワー・スイッチがオンのとき、前記フライバック入力巻線の両端間の電圧を前記電力変換器の入力電圧にほぼ等しくなるように増大させる電圧制御回路と、
から構成されることを特徴とする電力変換器。
【請求項１４】
前記電圧制御回路は、前記電力変換器の入力電圧が、第２のしきい値よりも高くなるまで前記フライバック入力巻線の両端間の電圧を前記電力変換器の入力電圧にほぼ等しくなるように保持することを特徴とする請求項１３に記載の電力変換器。
【請求項１５】
前記第２のしきい値は前記第１のしきい値よりも高いことを特徴とする請求項１４に記載の電力変換器。
【請求項１６】
第１及び第２のしきい値はほぼ等しいことを特徴とする請求項１４に記載の電力変換器。
【請求項１７】
前記電圧制御回路は、前記フォワード入力巻線の両端間に結合されたスイッチを有することを特徴とする請求項１３に記載の電力変換器。
【請求項１８】
前記電圧制御回路は、前記フォワード・エネルギー伝達エレメントの出力巻線の両端間に結合されたスイッチを有することを特徴とする請求項１３に記載の電力変換器。
【請求項１９】
前記電圧制御回路は、前記フォワード・エネルギー伝達エレメントを飽和させることを特徴とする請求項１３に記載の電力変換器。
【請求項２０】
前記電圧制御回路は、前記フォワード・エネルギー伝達エレメントに飽和を開始させることを特徴とする請求項１３に記載の電力変換器。
【請求項２１】
前記パワー・スイッチに結合された制御回路をさらに備え、前記制御回路とパワー・スイッチが集積回路の一部分を形成することを特徴とする請求項１３に記載の電力変換器。
【請求項２２】
前記制御回路及びパワー・スイッチは、前記集積回路の一部分としてモノリシックに一体化されることを特徴とする請求項２１に記載の電力変換器。
【請求項２３】
フライフォワード変換器の入力において入力電圧を受け取るステップと、
前記フライフォワード変換器のパワー・スイッチを切り換えて前記フライフォワード変換器の出力を調整するステップと、
前記フライフォワード変換器の前記入力における前記入力電圧がしきい値よりも低くなると、前記パワー・スイッチがオンであるときに前記フライフォワード変換器のフライバック・エネルギー伝達エレメントの入力巻線の両端間の電圧を前記フライフォワード変換器の前記入力における前記入力電圧にほぼ等しい電圧まで増大させるステップと、
から構成されることを特徴とする方法。
【請求項２４】
前記フライフォワード変換器の前記入力における前記入力電圧が、第２のしきい値より高くなるまで、前記フライフォワード変換器のフライバック・エネルギー伝達エレメントの入力巻線の両端間の電圧を、前記フライフォワード変換器の前記入力における前記入力電圧にほぼ等しい値に保持するステップをさらに有することを特徴とする請求項２３に記載の方法。
【請求項２５】
フライフォワード変換器の入力において入力電圧を受け取るステップと、
前記フライフォワード変換器のパワー・スイッチを切り換えて前記フライフォワード変換器の出力電圧を調整するステップと、
前記フライフォワード変換器の前記入力における前記入力電圧がしきい値よりも低くなるとき、前記フライフォワード変換器のフォワード・エネルギー伝達エレメントの入力巻線の両端間の電圧をほぼゼロにまで低下させるステップと、
から構成されることを特徴とする方法。
【請求項２６】
前記フライフォワード変換器の前記入力における前記入力電圧が、第２のしきい値より高くなるまで、前記フライフォワード変換器の前記フォワード・エネルギー伝達エレメントの前記入力巻線の両端間の前記電圧を、ほぼゼロに保持するステップをさらに有することを特徴とする請求項２５に記載の方法。
【請求項２７】
フライフォワード変換器の入力において入力電圧を受け取るステップと、
前記フライフォワード変換器のパワー・スイッチを切り換えて前記フライフォワード変換器の出力を調整するステップと、
前記フライフォワード変換器の前記入力における前記入力電圧がしきい値よりも低くなるときに、前記フライフォワード変換器のフォワード・エネルギー伝達エレメントを飽和させるステップと、
から構成されることを特徴とする方法。
【請求項２８】
フライフォワード変換器の入力において入力電圧を受け取るステップと、
前記フライフォワード変換器のパワー・スイッチを切り換えて前記フライフォワード変換器の出力を調整するステップと、
前記フライフォワード変換器の前記入力における前記入力電圧がしきい値よりも低くなるときに、前記フライフォワード変換器のフォワード・エネルギー伝達エレメントの飽和を開始させるステップと、
から構成されることを特徴とする方法。